(57)【要約】【課題】比較的強度の低いコケ育成シートの変形を抑制しつつ保持可能で、屋上などの緑化に好適な緑化パネル及びそのための枠体を提供することを課題とする。【解決手段】内部にコケ育成シートが配置される枠体３には下方に突出して所定間隔をおいて複数の枠体脚部３１が形成されている。枠体３に縦方向及び横方向に差し渡された複数の仕切り体４には、下方に突出し枠体脚部３１と同じ高さの仕切り体脚部４１が複数形成されている。コケ育成シート５は、仕切り体脚部４１がコケ育成シート５の貫通孔５１に貫通された状態で、座金６を介して、仕切り体脚部４１に形成された挿通孔４１１に固定ピン７を挿通し支持固定される。【選択図】図２
2005237243.tif 000002
【特許請求の範囲】
【請求項１】
コケ類を内部に含有するコケ育成シートが固定された緑化パネルであって、
内部に前記コケ育成シートが配置される枠体と、
その枠体内に配置された前記コケ育成シートと、
前記枠体に一体化されて下方に突出して前記コケ育成シートを貫通する貫通部材と、を備え、
前記貫通部材の下端が当該緑化パネルの載置面に当接可能とすることを特徴とする緑化パネル。
【請求項２】
前記コケ育成シートを前記貫通部材が貫通した状態で前記コケ育成シートを支持固定する固定手段が設けられたことを特徴とする請求項１記載の緑化パネル。
【請求項３】
前記枠体に縦方向及び横方向に差し渡された仕切り体と、
前記枠体から下方に突出する枠体脚部と、を備え、
前記貫通部材として、前記仕切り体から下方に突出した仕切り体脚部が形成され、
前記枠体脚部と前記仕切り体脚部とがほぼ同じ高さに形成されたことを特徴とする請求項１又は２記載の緑化パネル。
【請求項４】
前記枠体脚部及び前記仕切り体脚部はそれぞれ複数形成され、
前記コケ育成シートは、前記仕切り体脚部を貫通する複数の貫通孔を有し、
複数の前記仕切り体脚部が前記コケ育成シートの貫通孔を貫通した状態で、前記コケ育成シートが前記枠体の内部に支持固定されたことを特徴とする請求項３記載の緑化パネル。
【請求項５】
前記固定手段として、前記仕切り体脚部に穿設された挿通孔に着脱自在に挿通される固定ピンにより、前記仕切り体脚部の１箇所以上において、前記コケ育成シートを支持固定することを特徴とする請求項３又は４記載の緑化パネル。
【請求項６】
前記枠体及び前記仕切り体の表面に複数の滑り止め突起を有したことを特徴とする請求項３ないし５のいずれか１項に記載の緑化パネル。
【請求項７】
前記緑化パネルの複数のものを面状に連結するために、その緑化パネルの枠体の外側面には隣り合う緑化パネルの枠体の外側面とを連結する連結部がそれぞれ形成されている請求項１ないし６のいずれか１項に記載の緑化パネル。
【請求項８】
前記コケ育成シートを固定するための緑化パネル用の前記請求項１ないし７のいずれか１項に記載された枠体。
【請求項９】
前記コケ育成シートは、パルプからなる繊維の集合体中にコケ類が保持されていることを特徴とする請求項１ないし７のいずれか１項に記載の緑化パネル。
【請求項１０】
前記コケ育成シートは、前記パルプ中には、古着等の布を破砕ないし粉砕した短い繊維又は短い糸状物が所定量混入されることを特徴とする請求項９記載の緑化パネル。
【請求項１１】
前記コケ育成シートは、前記パルプ中にシート状の布が芯材として埋設されることを特徴とする請求項９又は１０記載の緑化パネル。
【発明の詳細な説明】
【技術分野】
【０００１】
本発明は、コケ育成シートが固定された緑化パネル及びそのための枠体に関する。
【背景技術】
【０００２】
近年、大都市圏を中心として、気温が上昇するヒートアイランド現象が大きな問題になっている。これは緑地や水面が減り、コンクリートやアスファルト等からなる構造物が増えたことにより、構造物から発生した熱を、植物が吸収しきれなくなってきたことが要因である。そこで、建造物の屋上やコンクリート等の構造物の壁面に植物を育成させる試みがなされている（例えば特許文献１）。
【０００３】
【特許文献１】特開２００２−５８３３５号公報
【発明の開示】
【発明が解決しようとする課題】
【０００４】
しかしながら、建造物の屋上におけるように人が上から踏みつけるような状況下で使われた場合、上記のような箱状にして脚部を折り込んだ構造では、中央部が押圧により変形するおそれがあり、変形によりシート構成物の脱落もあり得る。比較的強度のないコケ育成シートを固定するには十分な構造とは言えなかった。
【０００５】
本発明は上記した背景をもとになされたもので、比較的強度の低いコケ育成シートの変形を抑制しつつ保持可能で、屋上などの緑化に好適な緑化パネル及びそのための枠体を提供することを課題とする。
【課題を解決するための手段及び発明の効果】
【０００６】
上記課題を解決するために本発明緑化パネルは、コケ類を内部に含有するコケ育成シートが固定された緑化パネルであって、
内部にコケ育成シートが配置される枠体と、
その枠体内に配置されたコケ育成シートと、
枠体に一体化されて下方に突出してコケ育成シートを貫通する貫通部材と、を備え、
貫通部材の下端が当該緑化パネルの載置面に当接可能とすることを特徴とする。
【０００７】
上記本発明の緑化パネルは、内部にコケ育成シートを保持固定して屋上などに設置され、コケ類を育成し建造物表面を緑化するものである。このように、コケ育成シートを貫通した状態で屋上などに載置されることにより、コケ育成シートが位置決めされ動きが抑えられる。また、人が踏みつけるような状況下で用いられた場合においても、貫通部材に力は加わり、コケ育成シートは保護され、変形することなく、シート構成物の脱落を防止できる。
【０００８】
具体的には、コケ育成シートを貫通部材が貫通した状態でコケ育成シートを支持固定する固定手段が設けられたことを特徴としている。これにより、コケ育成シートを貫通した状態で支持固定され、力が加わった場合にも、コケ育成シートは保護される。従って、設置時以外、運搬或いは保管のときにおいても、シートの損傷を防ぐことができる。
【０００９】
また、具体的には、枠体に縦方向及び横方向に差し渡された仕切り体と、
枠体から下方に突出する枠体脚部と、を備え、
貫通部材として、仕切り体から下方に突出した仕切り体脚部が形成され、
枠体脚部と仕切り体脚部とがほぼ同じ高さに形成されたことを特徴としている。これにより、枠体の周囲とその内側にそれぞれ脚部が設けられ、人が踏みつける状況下で用いられても、緑化パネルの中央を踏まれても脚部に力が加わり、コケ育成シートは変形することなく、保護される。
【００１０】
さらに、具体的には、枠体脚部及び仕切り体脚部はそれぞれ複数形成され、
コケ育成シートは、仕切り体脚部を貫通する複数の貫通孔を有し、
複数の仕切り体脚部がコケ育成シートの貫通孔を貫通した状態で、コケ育成シートが枠体の内部に支持固定されたことを特徴としている。これにより、複数の貫通孔に貫通状態でコケ育成シートが固定され、コケ育成シートが位置決めされて動くことがない。また、緑化パネルの中央を踏まれても複数の仕切り体脚部でコケ育成シートは保護される。そして、枠体、仕切り体の脚部が複数形成されており、屋上などに設置されたときに、脚部と脚部との間から雨水等が流れ、水の流通を阻害せず、水はけがよい。さらに、コケ育成シートは、例えば仕切り体脚部を利用して固定ピンで支持固定するようにすれば、載置面から若干浮かせた状態に支持固定することが可能で、通気性も確保でき、コケの生育に好適となる。
【００１１】
また、具体的には、固定手段として、仕切り体脚部に穿設された挿通孔に着脱自在に挿通される固定ピンにより、仕切り体脚部の１箇所以上において、コケ育成シートを支持固定することを特徴としている。これにより、仕切り体脚部に固定ピンを挿通してコケ育成シートを支持固定しており、仕切り体脚部の下端は突出した状態にある。従って、設置したときには載置面から若干浮いた状態になり、水はけ、通気性も良好となる。また、運搬、保管時に緑化パネルを積んだ状態にしても、コケ育成シートは内部に収容された状態になり、損傷を防ぐことができる。緑化パネルの大きさに応じて、仕切り体脚部の１箇所以上、例えば対角線上の数箇所固定するようにすれば、コケ育成シートが堅固に固定可能となる。
【００１２】
さらに、具体的には、枠体及び仕切り体の表面に複数の滑り止め突起を有したことを特徴とするとしている。これにより、屋上等の人の歩くところに設置した場合、滑ることなく安全となる。このよう突起は、例えば枠体及び仕切り体を合成樹脂材による成形で製造するような場合には比較的簡単に作ることができる。
【００１３】
また、本発明の緑化パネルは次のように構成することもできる。緑化パネルの複数のものを面状に連結するために、その緑化パネルの枠体の外側面には隣り合う緑化パネルの枠体の外側面とを連結する連結部を形成するようにできる。このようにすれば、緑化パネルを複数連結して集合体として緑化帯を形成するような場合、緑化パネル相互の連結状態を簡便に作ることが可能である。
【００１４】
本発明の緑化パネルのための枠体は、上記のように構成することができ、比較的強度の低いコケ育成シートを保持固定するのに適した構造にできる。
【００１５】
さらに、本発明の緑化パネルは次のように構成することもできる。コケ育成シートは、パルプからなる繊維の集合体中にコケ類を保持するようにできる。また、コケ育成シートは、パルプ中には、古着等の布を破砕ないし粉砕した短い繊維又は短い糸状物を所定量混入することができる。さらに、コケ育成シートは、パルプ中にシート状の布を芯材として埋設することができる。このように、比較的強度の弱いコケ育成シートが強化され、固定手段で固定された場合においても、固定手段が当たっても損傷しにくい構造にできる。
【発明を実施するための最良の形態】
【００１６】
（実施例）
以下、本発明緑化パネルの実施の形態につき、図面に示す実施例を参照して説明する。図１は、本発明の緑化パネルの一実施例を示す平面図である。また、図２は図１のＡ−Ａ断面図を示す。図１に示すように、緑化パネル１は、矩形（本実施例では長方形及び正方形を含む；図１では正方形）状の矩形区画部分２が複数（実施例では４行×４列で合計１６個）つながってパネル状に形成されている。緑化パネル１は、矩形の枠体３（緑化パネル１の外周部分）と、この枠体３に縦方向及び横方向に差し渡された複数の仕切り体４（緑化パネル１の内側仕切り部分）ととらえることができる。枠体３は、矩形区画部分２の集合体１６個の外周にあたる。仕切り体４は、矩形区画部分２の集合体１６個の外周以外の部分にあたる。
【００１７】
図３は緑化パネル１の側面図である。図３に示すように、枠体３には下方に突出して所定間隔をおいて複数の枠体脚部３１が形成されている。この枠体３の内部（枠体脚部３１で囲まれた内部）に、コケ育成シート５が配置されている。コケ育成シート５は、コケ類を内部に含有しシート状に形成されている。シートにはコケの生育に適した親水性材料の繊維などを含み構成される。矩形区画部分２の連結部にあたる位置の枠体脚部３１は、これら枠体脚部３１,３１の間に設けられた枠体脚部３１ａよりも太く形成され、連結を兼ねた構成としている。
【００１８】
図４は緑化パネル１の下面図である。図４に示すように、仕切り体４には、縦方向及び横方向の交差する位置の一部（又は全て）において、下方に突出し、枠体脚部３１と同じ高さの仕切り体脚部４１（貫通部材）が複数形成されている。矩形区画部分２の４つの角部が集まる位置（矩形区画部分２の連結部）に仕切り体脚部４１が形成され、連結を兼ねた構成としている（図１参照）。また、矩形区画部分２の中央部分（矩形区画部分２内に差し渡された仕切り体４の交差位置４ａ）に仕切り体脚部４１ａが形成されている。仕切り体脚部４１は、仕切り体脚部４１ａよりも太く形成されている。
【００１９】
図５はコケ育成シート５の平面図を示す。コケ育成シート５には、仕切り体脚部４１,４１ａに対応した位置に、仕切り体脚部４１,４１ａが貫通する複数の貫通孔５１,５１ａが穿設されている。
【００２０】
コケ育成シート５は、仕切り体脚部４１,４１ａが貫通孔５１,５１ａを貫通した状態で、座金６を介して、仕切り体脚部４１,４１ａに形成された挿通孔４１１,４１１ａに固定ピン７,７ａを挿通し支持固定される（図２参照）。仕切り体脚部４１,４１ａの１箇所以上（本実施例では対角線上に９箇所）において固定ピン７,７ａで固定されている（図４参照）。固定ピン７,７ａは、ヘアピン状をなし、１辺の中央が若干外側に突出した形状をしている。この固定ピン７,７ａの突出部７１,７１ａが、仕切り体脚部４１,４１ａの腹部分に対応した形状をなしている。固定ピン７,７ａの突出部７１,７１ａが、仕切り体脚部４１,４１ａの腹部分に係合して固定状態となる。固定ピン７,７ａは、仕切り体脚部４１,４１ａの挿通孔４１１,４１１ａからぬいたとき、辺が開き係合がはずれ、着脱可能としている。従って、コケ育成シート５の取り外しが可能である。
【００２１】
コケ育成シート５は、上記のように固定され、仕切り体脚部４１,４１ａの下端が屋上等の載置面に当接した状態において、載置面に対して、コケ育成シート５との間には隙間Ｓができる（図２参照）。
【００２２】
図６ａ及び図６ｂは、枠体３及び仕切り体４の拡大平面図、拡大側面図を示す。枠体３及び仕切り体４の表面は、図に示すように複数の突起１０が形成されている。屋上等に設置され、緑化パネル１の上を人が歩くような状態において、突起１０が滑り止めの働きをする。
【００２３】
図７は、緑化パネル１を１つの単位として、複数（実施例では４個）面状に連結した状態を示す図である。図８は連結部分の分解斜視図である。緑化パネル１は、正方形の枠体３の隣り合う２辺に外側面に突出して、一端が枠体脚部３１につながり環状をなし他端が枠体脚部３１ａにつながる環状連結部３２を複数形成している（図１及び図３参照）。また、正方形の枠体３の残りの２辺（環状連結部３２を有しない２辺）には外側面に突出して、環状連結部３２の孔３２ａに嵌合する突起部３３を複数形成している。突起部３３は、枠体３から下方に突出する柱部３３ａと、この柱部３３ａの下部に連設し枠体３の外側面に突出する係止部３３ｂとを有している。隣り合う緑化パネル１において、一方の緑化パネル１の突起部３３が隣り合う他方の緑化パネル１の環状連結部３２に嵌合した状態では、柱部３３ａが環状連結部３２と係合して水平方向の移動を阻止するとともに、係止部３３ｂが他方の枠体３に係止して垂直方向の移動を阻止して、連結状態を保持するようにしている。屋上等に緑化パネル１を複数連結して集合体として緑化帯を形成するような場合、緑化パネル１相互を嵌合状態にして連結状態を簡便に作ることが可能である。
【００２４】
枠体３及び仕切り体４は、剛性を有した合成樹脂（例えばポリスチレン樹脂、ポリエチレン樹脂、ポリプロピレン樹脂など）を材料として、成形型を使い成形加工で形成される。枠体脚部３１,３１ａ及び仕切り体脚部４１,４１ａ、突起１０、環状連結部３２並びに突起部３３は、成形時に形成される。
【００２５】
次に、コケ育成シート５について説明する。コケ育成シート５は、パルプ８２からなる親水性の繊維の集合体中にコケ類８３が保持されている。図９はコケ育成シート５の製造方法の一例を示す。先ず、図９（ａ）において、古新聞及び古ダンボール等の古紙を、水８１を加えてミキサーにより粉砕し（パルプ８２に分解し）、ゲル状にしたもののなかに、コケ類８３、土質細物８４及びワラ屑８５を混入させた後、よく混練して混練物８６を生成する（図９（ｂ）参照）。なおここでは、コケ類８３は、自然に生息しているコケを採取し、水洗いをしてから乾燥させて、粗く粉砕したものを用いているが、粉砕していないものを用いることも可能である。
【００２６】
次に、得られた混練物８６を、底面に貫通孔８９を有する型枠８０に入れ（図９（ｂ））、型枠８０の形状に対応し、かつ貫通孔９９を有する押し板９０により混練物８６を押圧し（図９（ｃ））、貫通孔８９、９９から余分な水８１を抜き、混練物８６をシート状に成形する。その後、押し板９０を抜き、シート状に成形された混練物８６を型枠８０に入れたまま、乾燥させる（図９（ｄ））。混練物８６が乾燥したら型枠８０から取り出す。そして、このように乾燥した混練物８６がコケ育成シート５となる（図９（ｅ））。
【００２７】
なお、上記製造工程において、古着等の布を破砕ないし粉砕した短い繊維片８７（又は短い糸状物）を、上記古紙に所定量（例えば体積比で０．１〜１０％程度）混入することができる。この繊維片や糸状物は、天然繊維、合成繊維（ガラス繊維含む）のいずれでもよく、ゲル状の古紙内にコケとともに混入させるか、または古紙の粉砕の際に古布も併せて粉砕してゲル状の古紙に混入させることができる。図１０は、短い繊維片８７を混入して形成したコケ育成シート１００を示す。このような短い繊維片や糸状物の混入により、古紙の結合力を高める機能を生じさせることが可能である。
【００２８】
コケ育成シート５の大きさは、型枠８０の形状に対応する。厚さは、型枠８０内に入れられる混練物８６の量により決定され、例えば３ｍｍ、５ｍｍの種類が用意される。本実施例の緑化パネル１は、例えば外寸３０ｃｍ×３０ｃｍの正方形としている。この内側に収容可能な大きさ、厚さにコケ育成シート５が形成される。
【００２９】
このように、コケ育成シート５は、仕切り体脚部４１,４１ａに形成された挿通孔４１１,４１１ａに座金６を介して固定ピン７,７ａを挿通し支持固定される。複数の貫通孔５１,５１ａに貫通状態でコケ育成シート５が固定され、コケ育成シート５が位置決めされて動くことがない。貫通した状態で屋上などに載置されることにより、コケ育成シート５が位置決めされ動きが抑えられる。また、枠体３の周囲とその内側にそれぞれ枠体脚部３１,３１ａ及び仕切り体脚部４１,４１ａが設けられ、人が踏みつける状況下で用いられた場合、緑化パネル１の中央を踏まれても仕切り体脚部４１,４１ａに力が加わり、コケ育成シートは変形することなく、保護され、シート構成物の脱落を防止できる。さらに、設置時以外、運搬或いは保管のときにおいても、コケ育成シート５の損傷を防ぐことができる。
【００３０】
そして、枠体脚部３１,３１ａ及び仕切り体脚部４１,４１ａが複数形成されており、屋上などに設置されたときに、脚部と脚部との間から雨水等が流れ、水の流通を阻害せず、水はけがよい。さらに、コケ育成シート５は、仕切り体脚部４１,４１ａを利用して固定ピン７,７ａで支持固定するようにしており、載置面から若干浮かせた状態に支持固定することが可能で、通気性も確保でき、コケの生育に好適となる。
【００３１】
図１１は、コケ育成シートの他の実施例を示す。図１１（ａ）に示すように布５２の両面に、前述のコケ類８３、土質細物８４、ワラ屑８５等が混合されたパルプ８２（さらに前記短繊維片を混入したものでもよい）が付着されることにより、布５２を芯材としてその周りをパルプ８２で取り巻いたコケ育成シート５０とすることができる。言い換えれば、芯材としての布５２がパルプ８２中に埋設された形態でコケ育成シート５０が構成される。布５２として、例えば古布、古タオル、或いは古着をコケ育成シートに対応する大きさに切断したもの、若しくはコケ育成シートの専用布として製作されたものが使用される。布５２は、親水性があれば織布のほか不織布でもよい。また布の材質は天然繊維のほか、合成繊維のものでもよいが、経年変化で分解するものが好ましい。
【００３２】
また、図１１（ｂ）に示すように、布５２をベース（補強材）として、その片面にコケ類８３、土質細物８４、ワラ屑８５、更に必要に応じて短繊維片等が混合されたパルプ８２を付着させたコケ育成シート５５とすることもできる。この場合でも、通常、パルプ分が布５２の繊維間に浸透した形態でコケ育成シート５５が構成される。
【００３３】
このようにして得られたコケ育成シート５０,５５を用いて緑化パネル１を形成すれば、比較的強度の弱いコケ育成シート５０,５５が強化される。特に、コケ育成シート５５では、固定ピン７,７ａで固定された場合においても、座金６など固定のための部材が当たっても損傷しにくい構造にできる。
【００３４】
なお、矩形区画部分２の変形例を、図１２に示す。図１２（ａ）の矩形区画部分２１では、図１における十字状の交差形態を、井桁状の交差形態とし、その井桁の中央部分に十字の交差部４ｂを有する形状としている。すなわち縦方向及び横方向にそれぞれ２本の仕切り体４０が所定間隔を隔て交差するように形成され、井桁状をなす。この井桁状の中央に形成された十字の交差部４ｂの位置に仕切り体脚部４１ａを設けている。これにより、仕切り体脚部４１ａがより補強される。
【００３５】
図１２（ｂ）は、図１における矩形区画部分２の中央の差し渡し部分をなくした（交差位置４ａをなくした）形状としている。図１における交差位置４ａに形成された仕切り体脚部４１ａに換えて、矩形区画部分２２の隣の矩形区画部分２２との辺（仕切り体４）において、仕切り体脚部４１ｂを設けている。すなわち隣り合う仕切り体４にまたがって仕切り体脚部４１ｂが、仕切り体４の相互の連結を兼ねて形成されている。このようにすれば、成形型が簡単になり、原価低減も可能となる効果を奏する。なお、図１２において、図１と共通する機能を有する部分には同一符号を付してある。
【図面の簡単な説明】
【００３６】
【図１】本発明の緑化パネルの平面図。
【図２】図１のＡ−Ａ断面図。
【図３】緑化パネルの側面図。
【図４】緑化パネルの下面図。
【図５】コケ育成シートの平面図。
【図６】枠体及び仕切り体の拡大図。
【図７】緑化パネルの連結状態の一例を示す説明図。
【図８】緑化パネルの連結部分の分解斜視図。
【図９】コケ育成シートの製造方法の一例を示す説明図。
【図１０】コケ育成シートの他の実施例を示す説明図。
【図１１】コケ育成シートのさらに他の実施例を示す説明図。
【図１２】矩形区画部分の変形例を示す平面図。
【符号の説明】
【００３７】
１    緑化パネル
３    枠体
４    仕切り体
５,５０,５５,１００  コケ育成シート
７    固定ピン（固定手段）
１０  突起
３１  枠体脚部
４１  仕切り体脚部（貫通部材）
５１  貫通孔
５２  布
８２  パルプ
８３  コケ類
８７  繊維片
４１１  挿通孔
【図１】
2005237243.tif 000003
【図２】
2005237243.tif 000004
【図３】
2005237243.tif 000005
【図４】
2005237243.tif 000006
【図５】
2005237243.tif 000007
【図６】
2005237243.tif 000008
【図７】
2005237243.tif 000009
【図８】
2005237243.tif 000010
【図９】
2005237243.tif 000011
【図１０】
2005237243.tif 000012
【図１１】
2005237243.tif 000013
【図１２】
2005237243.tif 000014